【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
複合構造物（２００）であって、
複数の複合プライ（２１４）を有するラミネート（２０４）と、
前記ラミネート（２０４）に関連付けられた圧縮の不連続（２５８）と、
前記複合プライ（２１４）に含まれ、かつ、前記圧縮の不連続（２５８）の近位に配置された安定化要素（３００）、とを備える、複合構造物（２００）。
【請求項２】
前記ラミネート（２０４）は、前記複数の複合プライ（２１４）で形成されたパネル（２０６）を含み、
前記圧縮の不連続（２５８）は、前記パネル（２０６）に装着された構造部材（４００）の構造部材端（４１８）の近位に位置する、圧縮圧力が低い区域（３３０）を含み、
前記安定化要素（３００）は、前記複合プライ（２１４）に含まれ、かつ、前記構造部材端（４１８）の近位に配置されている、請求項１に記載の複合構造物（２００）。
【請求項３】
前記ラミネート（２０４）は、前記複数の複合プライ（２１４）で形成されたパネル（２０６）を含み、
前記圧縮の不連続（２５８）は、前記パネル（２０６）に対して取外し可能に位置付けられた一対の当て板（５００）の間に位置する当て板隙間（５０４）を含み、
前記安定化要素（３００）は、前記複合プライ（２１４）に含まれ、かつ、前記当て板隙間（５０４）の近位に配置されている、請求項１又は２に記載の複合構造物（２００）。
【請求項４】
前記安定化要素（３００）は、ラミネートの熱膨張係数（２３８）にほぼ等しい熱膨張係数（３０４）を有する、請求項１から３のいずれか一項に記載の複合構造物（２００）。
【請求項５】
前記安定化要素（３００）は、およそ１５ＭＳＩ（１．０３４２１２×１０１１Ｐａ）からおよそ８０ＭＳＩ（５．５１５７９６ｅ×１０１１Ｐａ）までの範囲の剛性を有する、請求項１から４のいずれか一項に記載の複合構造物（２００）
【請求項６】
前記安定化要素（３００）は、硬化済み複合材料、セラミック材料、及び金属材料のうちの少なくとも１つを含む材料で形成されている、請求項１から５のいずれか一項に記載の複合構造物（２００）
【請求項７】
前記安定化要素（３００）は、複合プライ（２１４）のプライ厚（２２２）と、前記プライ厚（２２２）の倍数、のうちの１つにほぼ等しい厚さを有する、請求項１から６のいずれか一項に記載の複合構造物（２００）。
【請求項８】
複合構造物（２００）を作る方法であって、
複数の複合プライ（２１４）を備えたラミネート（２０４）をレイアップするステップを含み、前記ラミネート（２０４）は、前記ラミネート（２０４）に関連付けられた圧縮の不連続（２５８）と幾何形状の不連続（２５６）のうちの少なくとも１つを有し、
前記複合プライ（２１４）と共に安定化要素（３００）を適用するステップと、
前記安定化要素（３００）を、前記圧縮の不連続（２５８）と前記幾何形状の不連続（２５６）のうちの前記少なくとも１つの近位に配置するステップ、を含む、方法。
【請求項９】
更に、
前記ラミネート（２０４）を、前記複数の複合プライ（２１４）で形成されているとともに、前記複数の複合プライ（２１４）に装着された構造部材（４００）を有するパネル（２０６）としてレイアップするステップと、
前記安定化要素（３００）を、構造部材端（４１８）の近位に配置するステップ、を含む、請求項８に記載の方法。
【請求項１０】
更に、
前記ラミネート（２０４）に圧縮圧力（３３０）を印加するステップと、
前記構造部材端（４１８）に関連付けられた圧縮圧力が低い区域（３３０）を含む、圧縮の不連続（２５８）を生成するステップと、
前記安定化要素（３００）を使用して、前記複合プライ（２１４）内の繊維歪みを緩和するステップ、を含む、請求項９に記載の方法。
【請求項１１】
更に、
前記ラミネート（２０４）を、前記複数の複合プライ（２１４）で形成された構造部材（４００）としてレイアップするステップ、を含む、請求項８から１０のいずれか一項に記載の方法。
【請求項１２】
更に、
前記安定化要素（３００）を、構造部材（４００）の断面の幾何形状の不連続（２５６）の近位に配置するステップ、を含む、請求項１１に記載の方法。
【請求項１３】
更に、
前記安定化要素（３００）を、構造部材（４００）の断面の断面形状変化（４０８）を含む前記幾何形状の不連続（２５６）の近位に配置するステップ、を含む、請求項１１又は１２に記載の方法。
【請求項１４】
更に、
前記安定化要素（３００）を、構造部材（４００）の断面の曲り部を含む前記幾何形状の不連続（２５６）の近位に配置するステップ、を含む、請求項１１から１３のいずれか一項に記載の方法。
【請求項１５】
更に、
前記安定化要素（３００）を、構造部材（４００）の複数のサブラミネート（４３０）の接合個所における曲り部充填材（４４０）を含む前記幾何形状の不連続（２５６）の近位に配置するステップ、を含む、請求項１１から１４のいずれか一項に記載の方法。
【手続補正２】
【補正対象書類名】明細書
【補正対象項目名】０００８
【補正方法】変更
【補正の内容】
【０００８】
複合構造物内の面外繊維歪みに関連付けられた上記の需要は、ラミネートと安定化要素とを含みうる複合構造物を提供する本開示によって、具体的に対処され、軽減される。ラミネートは、複数の複合プライを有しうる。複合構造物は、ラミネートに関連付けられうる圧縮の不連続を含みうる。安定化要素は、複合プライに含まれ、かつ、圧縮の不連続の近位に配置されうる。
【手続補正３】
【補正対象書類名】明細書
【補正対象項目名】０００９
【補正方法】変更
【補正の内容】
【０００９】
更なる実施形態では、ラミネートと安定化要素とを含み、かつ、ラミネートが複数の複合プライを有しうる、複合構造物が開示されている。複合構造物は、ラミネートに関連付けられうる幾何形状の不連続を含みうる。安定化要素は、複合プライに含まれ、かつ、幾何形状の不連続の近位に配置されうる。
【手続補正４】
【補正対象書類名】明細書
【補正対象項目名】００１０
【補正方法】変更
【補正の内容】
【００１０】
プライ安定材も開示されている。プライ安定材は、複数の複合プライを有するラミネートのための安定化要素を含みうる。ラミネートは、それに関連付けられた圧縮の不連続を有しうる。安定化要素は、複合プライに含まれ、かつ、圧縮の不連続の近位に配置されうる。
【手続補正５】
【補正対象書類名】明細書
【補正対象項目名】００１７
【補正方法】変更
【補正の内容】
【００１７】
図４を参照するに、パネル２０６に装着された複数の構造部材４００（例えばハット型補剛材４０４）を図示する、バレル部分１０４（図１）の断面図が示されている。構造部材４００の各々は、パネル２０６に関連付けられた少なくとも１つの圧縮の不連続２５８を表しうる。一実施形態では、圧縮の不連続２５８は、不均一な圧縮圧力３２９がパネル２０６に印加される場所に発生しうる。例えば、圧縮の不連続２５８は、構造部材４００がパネル２０６に装着される場所に発生しうる。図４は更に、有利には、パネル２０６、ラミネート２０４に含まれ、かつ、構造部材４００の各々によって表されうる一又は複数の幾何形状の不連続２５６の近位に配置される、安定化要素３００を図示している。
【手続補正６】
【補正対象書類名】明細書
【補正対象項目名】００２８
【補正方法】変更
【補正の内容】
【００２８】
図６では、構造部材４００は、構造部材端４１８の各々における、パネル２０６に関連付けられた圧縮の不連続２５８を表しうる。例えば、構造部材４００は、結果として、パネル２０６への不均一な圧縮圧力３２９の印加をもたらしうる。これを踏まえ、構造部材端４１８の各々は、結果として、構造部材端４１８からラミネート上側表面２１０への真空バッグ３２６のブリッジング３２８によって引き起こされる、圧縮圧力が低い区域３３０の形成をもたらしうる。圧縮圧力３２４の印加中の樹脂２２６の粘度の減少は、結果として、圧縮圧力が低い区域３３０に向かう樹脂流れ３３４の方向に沿った、樹脂２２６の流れをもたらしうる。樹脂２２６の流れは、繊維２３０を、樹脂流れ３３４の方向に沿って移動させうるが、このことは結果として、圧縮圧力が低い区域３３０内の頭部波２４２内の、繊維２３０の局所群在をもたらしうる。頭部波２４２は、複合プライ２１４のうちの一又は複数の繊維２３０における、面外繊維歪み２４４を表しうる。樹脂２２６の硬化及び固化の際に、面外繊維歪み２４４は、複合構造物２００内に恒久的に定着することになりうる。面外繊維歪み２４４は、複合プライ２１４の荷重担持性能に影響を与えうる。
【手続補正７】
【補正対象書類名】明細書
【補正対象項目名】００４４
【補正方法】変更
【補正の内容】
【００４４】
図１５を参照するに、パネル２０６と共に形成されうる肉盛り２５０の形をとる、幾何形状の不連続２５６の一例が示されている。肉盛り２５０は、パネル２０６の複合プライ２１４の数量の、局所的増大を含みうる。例えば、ラミネート２０４は、ほぼ一定の厚さで形成され、かつ、ラミネート２０４上に盛り上がる局所的複合プライ２１４を含む肉盛り２５０を有しうる。肉盛り２５０は、パネル２０６の、継ぎ目（図示せず）、孔部（図示せず）、切り欠き（図示せず）、及び、ラミネート２０４内の応力集中部（図示せず）を構成しうる他の特徴の周囲の領域において、提供されうる。これを踏まえ、肉盛り２５０は、パネル２０６を局所的に補強して、構成部品（図示せず）のラミネートへの装着又は嵌合に順応するために、或いは、ラミネート２０４の局所的な剛性又は強度を増大させるために、パネル２０６に含まれうる。
【手続補正８】
【補正対象書類名】明細書
【補正対象項目名】００５８
【補正方法】変更
【補正の内容】
【００５８】
図２０を参照するに、複合プライ２１４に含まれる一又は複数の安定化要素３００を有する複合構造物２００の、ブロック図が示されている。複合構造物２００は、構造部材４００、パネル２０６、又は、多種多様な他の複合構造物２００のうちの任意のものを限定なく形成する、ラミネート２０４で構成されうる。ラミネート２０４は、複合プライ２１４で構成されうる。複合プライ２１４の各々は、繊維強化ポリマーマトリクス材料２２４で形成され、樹脂２２６と繊維２３０とを含みうる。複合プライ２１４の各々内の繊維２３０は共通に配列される（例えば一方向性である）か、又は、繊維２３０は、ファブリック（図示せず）を形成するよう一又は複数の方向に織り込まれうる。
【手続補正９】
【補正対象書類名】明細書
【補正対象項目名】００６５
【補正方法】変更
【補正の内容】
【００６５】
本開示の追加的な修正及び改良は、当業者には明白でありうる。ゆえに、本書で説明さ
れ、図示されている部分の特定の組み合わせは、本開示のある特定の実施形態のみを表す
ことを意図しており、本開示の本質及び範囲に含まれる代替的な実施形態又は装置の限定
としての役割を果たすことを、意図するものではない。
また、出願人は下記の条項を発明として認識している。
条項１．
複合構造物（２００）であって、
複数の複合プライ（２１４）を有するラミネート（２０４）と、
前記ラミネート（２０４）に関連付けられた圧縮の不連続（２５８）と、
前記複合プライ（２１４）に含まれ、かつ、前記圧縮の不連続（２５８）の近位に配置された安定化要素（３００）、とを備える、複合構造物（２００）。
条項２．
前記ラミネート（２０４）は、前記複数の複合プライ（２１４）で形成されたパネル（２０６）を含み、
前記圧縮の不連続（２５８）は、前記パネル（２０６）に装着された構造部材（４００）の構造部材端（４１８）の近位に位置する、圧縮圧力が低い区域（３３０）を含み、
前記安定化要素（３００）は、前記複合プライ（２１４）に含まれ、かつ、前記構造部材端（４１８）の近位に配置されている、条項１に記載の複合構造物（２００）。
条項３．
前記ラミネート（２０４）は、前記複数の複合プライ（２１４）で形成されたパネル（２０６）を含み、
前記圧縮の不連続（２５８）は、前記パネル（２０６）に対して取外し可能に位置付けられた一対の当て板（５００）の間に位置する当て板隙間（５０４）を含み、
前記安定化要素（３００）は、前記複合プライ（２１４）に含まれ、かつ、前記当て板隙間（５０４）の近位に配置されている、条項１又は２に記載の複合構造物（２００）。
条項４．
前記安定化要素（３００）は、ラミネートの熱膨張係数（２３８）にほぼ等しい熱膨張係数（３０４）を有する、条項１から３のいずれか一項に記載の複合構造物（２００）。
条項５．
前記安定化要素（３００）は、およそ１５ＭＳＩ（１．０３４２１２×１０１１Ｐａ）からおよそ８０ＭＳＩ（５．５１５７９６ｅ×１０１１Ｐａ）までの範囲の剛性を有する、条項１から４のいずれか一項に記載の複合構造物（２００）
条項６．
前記安定化要素（３００）は、硬化済み複合材料、セラミック材料、及び金属材料のうちの少なくとも１つを含む材料で形成されている、条項１から５のいずれか一項に記載の複合構造物（２００）
条項７．
前記安定化要素（３００）は、複合プライ（２１４）のプライ厚（２２２）と、前記プライ厚（２２２）の倍数、のうちの１つにほぼ等しい厚さを有する、条項１から６のいずれか一項に記載の複合構造物（２００）。
条項８．
航空機（１００）の複合構造物を含む、条項１から７のいずれか一項に記載の複合構造物（２００）。
条項９．
複数の複合プライ（２１４）を有する構造部材（４００）と、
前記構造部材（４００）に関連付けられた幾何形状の不連続（２５６）と、
前記複合プライ（２１４）に含まれ、かつ、前記幾何形状の不連続（２５６）の近位に配置された安定化要素（３００）、とを備える、複合構造物（２００）。
条項１０．
前記幾何形状の不連続（２５６）は、前記構造部材（４００）内の断面形状変化（４０８）を含み、
前記安定化要素（３００）は、前記複合プライ（２１４）に含まれ、かつ、前記断面形状変化（４０８）の近位に配置されている、条項９に記載の複合構造物（２００）。
条項１１．
前記断面形状変化（４０８）は、構造部材（４００）の断面に形成された曲り部を含む、条項９又は１０に記載の複合構造物（２００）。
条項１２．
前記構造部材（４００）には、複数のサブラミネート（４３０）が用いられ、
前記断面形状変化（４０８）は、前記サブラミネート（４３０）の接合個所に配置された曲り部充填材（４４０）を含み、かつ、
前記安定化要素（３００）は、前記曲り部充填材の近位に配置されている、条項１０又は１１に記載の複合構造物（２００）。
条項１３．
プライ安定材であって、
複数の複合プライ（２１４）を有するラミネート（２０４）のための安定化要素（３００）と、
前記ラミネート（２０４）であって、前記ラミネート（２０４）に関連付けられた圧縮の不連続（２５８）を有する前記ラミネート（２０４）と、
前記複合プライ（２１４）に含まれ、かつ、前記圧縮の不連続（２５８）の近位に配置されている、前記安定化要素（３００）、とを備える、プライ安定材。
条項１４．
前記ラミネート（２０４）は、前記複数の複合プライ（２１４）で形成されたパネル（２０６）を含み、
前記圧縮の不連続（２５８）は、前記パネル（２０６に）装着された構造部材（４００）の構造部材端（４１８）の近位に位置する、圧縮圧力が低い区域（３３０）を含み、
前記安定化要素（３００）は、前記複合プライ（２１４）に含まれ、かつ、前記構造部材端（４１８）の近位に配置されている、条項１３に記載のプライ安定材。
条項１５．
前記ラミネート（２０４）は、前記複数の複合プライ（２１４）で形成されたパネル（２０６）を含み、
前記圧縮の不連続（２５８）は、前記パネル（２０６）に対して取外し可能に位置付けられた一対の当て板（５００）の間に位置する当て板隙間（５０４）を含み、
前記安定化要素（３００）は、前記複合プライ（２１４）に含まれ、かつ、前記当て板隙間（５０４）の近位に配置されている、条項１３又は１４に記載のプライ安定材。
条項１６．
前記安定化要素（３００）は、ラミネートの熱膨張係数（２３８）にほぼ等しい熱膨張係数（３０４）を有する、条項１３から１５のいずれか一項に記載のプライ安定材。
条項１７．
前記安定化要素（３００）は、およそ１５ＭＳＩ（１．０３４２１２×１０１１Ｐａ）からおよそ８０ＭＳＩ（５．５１５７９６ｅ×１０１１Ｐａ）までの範囲の剛性を有する、条項１３から１６のいずれか一項に記載のプライ安定材。
条項１８．
前記安定化要素（３００）は、硬化済み複合材、セラミック、及び金属のうちの少なくとも１つを含む材料で形成されている、条項１３から１７のいずれか一項に記載のプライ安定材。
条項１９．
複合構造物（２００）を作る方法であって、
複数の複合プライ（２１４）を備えたラミネート（２０４）をレイアップするステップを含み、前記ラミネート（２０４）は、前記ラミネート（２０４）に関連付けられた圧縮の不連続（２５８）と幾何形状の不連続（２５６）のうちの少なくとも１つを有し、
前記複合プライ（２１４）と共に安定化要素（３００）を適用するステップと、
前記安定化要素（３００）を、前記圧縮の不連続（２５８）と前記幾何形状の不連続（２５６）のうちの前記少なくとも１つの近位に配置するステップ、を含む、方法。
条項２０．
更に、
前記ラミネート（２０４）を、前記複数の複合プライ（２１４）で形成されているとともに、前記複数の複合プライ（２１４）に装着された構造部材（４００）を有するパネル（２０６）としてレイアップするステップと、
前記安定化要素（３００）を、構造部材端（４１８）の近位に配置するステップ、を含む、条項１９に記載の方法。
条項２１．
更に、
前記ラミネート（２０４）に圧縮圧力（３３０）を印加するステップと、
前記構造部材端（４１８）に関連付けられた圧縮圧力が低い区域（３３０）を含む、圧縮の不連続（２５８）を生成するステップと、
前記安定化要素（３００）を使用して、前記複合プライ（２１４）内の繊維歪みを緩和するステップ、を含む、条項２０に記載の方法。
条項２２．
更に、
前記ラミネート（２０４）を、前記複数の複合プライ（２１４）で形成された構造部材（４００）としてレイアップするステップ、を含む、条項１９から２１のいずれか一項に記載の方法。
条項２３．
更に、
前記安定化要素（３００）を、構造部材（４００）の断面の幾何形状の不連続（２５６）の近位に配置するステップ、を含む、条項２２に記載の方法。
条項２４．
更に、
前記安定化要素（３００）を、構造部材（４００）の断面の断面形状変化（４０８）を含む前記幾何形状の不連続（２５６）の近位に配置するステップ、を含む、条項２２又は２３に記載の方法。
条項２５．
更に、
前記安定化要素（３００）を、構造部材（４００）の断面の曲り部を含む前記幾何形状の不連続（２５６）の近位に配置するステップ、を含む、条項２２から２４のいずれか一項に記載の方法。
条項２６．
更に、
前記安定化要素（３００）を、構造部材（４００）の複数のサブラミネート（４３０）の接合個所における曲り部充填材（４４０）を含む前記幾何形状の不連続（２５６）の近位に配置するステップ、を含む、条項２２から２５のいずれか一項に記載の方法。